(57)【要約】    【課題】  広画角で全物体距離にわたり高い光学性能が容易に得られる光学系を得ること。    【解決手段】  物体側から像側へ順に、負の屈折力の前群と、正の屈折力の後群から構成され、前群は負の屈折力の第１レンズ群より構成され、後群は物体側から像側へ順に、正の屈折力の第２レンズ群、正の屈折力の第３レンズ群より構成され、ズーミングに際して隣り合うレンズ群の間隔が変化する光学系において、後群はフォーカシングに際して光軸上を移動する正の屈折力のレンズ系ＬＦを有し、レンズ系ＬＦは物体側から像側へ順に、正の屈折力のレンズユニットＧＡ、正または負の屈折力のレンズユニットＧＢを有し、レンズユニットＧＢの最も物体側のレンズ面が凹形状であること。【選択図】    図１
2015138122.tif 000002
【特許請求の範囲】
【請求項１】
物体側から像側へ順に、負の屈折力の前群と、正の屈折力の後群から構成され、
前記前群は負の屈折力の第１レンズ群より構成され、前記後群は、物体側から像側へ順に、正の屈折力の第２レンズ群、正の屈折力の第３レンズ群より構成され、ズーミングに際して隣り合うレンズ群の間隔が変化する光学系において、
前記後群はフォーカシングに際して光軸上を移動する正の屈折力のレンズ系ＬＦを有し、前記レンズ系ＬＦは、物体側から像側へ順に、正の屈折力のレンズユニットＧＡ、正または負の屈折力のレンズユニットＧＢを有し、前記レンズユニットＧＢの最も物体側のレンズ面が凹形状であることを特徴とする光学系。
【請求項２】
広角端から望遠端へのズーミングに際して、前記第１レンズ群は像側へ凸状の軌跡で移動し、前記第２レンズ群と前記第３レンズ群はいずれも物体側へ移動することを特徴とする請求項１の光学系。
【請求項３】
前記レンズ系ＬＦは前記第２レンズ群であることを特徴とする請求項１又は２の光学系。
【請求項４】
物体側から像側へ順に、負の屈折力の前群と、正の屈折力の後群から構成され、
ズーミングに際して前記前群と前記後群が互いに異なる軌跡で移動する光学系において、前記後群はフォーカシングに際して光軸上を移動する正の屈折力のレンズ系ＬＦを有し、前記レンズ系ＬＦは、物体側から像側へ順に、正の屈折力のレンズユニットＧＡ、正または負の屈折力のレンズユニットＧＢを有し、前記レンズユニットＧＢは最も物体側のレンズ面が凹形状であることを特徴とする光学系。
【請求項５】
広角端から望遠端へのズーミングに際して、前記前群は像側へ凸状の軌跡で移動し、前記後群は物体側へ移動することを特徴とする請求項４の光学系。
【請求項６】
前記レンズ系ＬＦは前記後群の一部であることを特徴とする請求項４又は５の光学系。
【請求項７】
前記レンズ系ＬＦの焦点距離をｆｆｚ、広角端における全系の焦点距離をｆｗとするとき、
３．０＜ｆｆｚ／ｆｗ＜１５．０
なる条件式を満足することを特徴とする請求項１乃至６のいずれか１項の光学系。
【請求項８】
前記レンズユニットＧＡの最も物体側のレンズ面の曲率半径をＲ１ａｚ、前記レンズ系ＬＦの焦点距離をｆｆｚとするとき、
０．１＜Ｒ１ａｚ／ｆｆｚ＜０．５
なる条件式を満足することを特徴とする請求項１乃至７のいずれか１項の光学系。
【請求項９】
前記レンズユニットＧＢの最も物体側のレンズ面の曲率半径をＲ１ｂ      ｚ、前記レンズ系ＬＦの焦点距離をｆｆｚとするとき、
０．１＜｜Ｒ１ｂｚ／ｆｆｚ｜＜０．６
なる条件式を満足することを特徴とする請求項１乃至８のいずれか１項の光学系。
【請求項１０】
前記レンズユニットＧＡの最も像側のレンズ面とレンズユニットＧＢの最も物体側のレンズ面により形成される空気レンズの焦点距離をｆａｂｚ、前記レンズ系ＬＦの焦点距離をｆｆｚとするとき、
０．３＜｜ｆａｂｚ／ｆｆｚ｜＜１．５
なる条件式を満足することを特徴とする請求項１乃至９のいずれか１項の光学系。
【請求項１１】
前記レンズユニットＧＢは負の屈折力を有することを特徴とする請求項１乃至１０のいずれか１項の光学系。
【請求項１２】
広角端におけるレンズ全長をＬｗ、広角端における全系の焦点距離をｆｗとするとき、
８．０＜Ｌｗ／ｆｗ＜２０
なる条件式を満足することを特徴とする請求項１乃至１１のいずれか１項の光学系。
【請求項１３】
前記レンズユニットＧＡは、物体側から像側へ順に、負レンズと正レンズを接合した接合レンズＧＡＡからなり、前記接合レンズＧＡＡの負レンズの材料の屈折率をＮｎｚ、前記接合レンズＧＡＡの正レンズの材料の屈折率をＮｐｚとするとき、
１．１＜Ｎｎｚ／Ｎｐｚ＜１．５
なる条件式を満足することを特徴とする請求項１乃至１２のいずれか１項の光学系。
【請求項１４】
前記前群の焦点距離をｆＬＡｚ、広角端における全系の焦点距離をｆｗとするとき、
１．０＜｜ｆＬＡｚ／ｆｗ｜＜２．０
なる条件式を満足することを特徴とする請求項１乃至１３のいずれか１項の光学系。
【請求項１５】
前記後群の焦点距離をｆＬＢｚ、広角端における全系の焦点距離をｆｗとするとき、
２．０＜ｆＬＢｚ／ｆｗ＜５．０
なる条件式を満足することを特徴とする請求項１乃至１４のいずれか１項の光学系。
【請求項１６】
最も大きな空気間隔を境に、物体側から像側へ順に、負の屈折力の前群と、正の屈折力の後群から構成される単一焦点距離の光学系において、前記後群はフォーカシングに際して光軸上を移動する正の屈折力のレンズ系ＬＦを有し、前記レンズ系ＬＦは、物体側から像側へ順に、正の屈折力のレンズユニットＧＡ、正または負の屈折力のレンズユニットＧＢを有し、前記レンズユニットＧＢの最も物体側のレンズ面が凹形状であることを特徴とする光学系。
【請求項１７】
前記レンズ系ＬＦの焦点距離をｆｆ、全系の焦点距離をｆとするとき、
３．０＜ｆｆ／ｆ＜１５．０
なる条件式を満足することを特徴とする請求項１６の光学系。
【請求項１８】
前記レンズユニットＧＡの最も物体側のレンズ面の曲率半径をＲ１ａ、前記レンズ系ＬＦの焦点距離をｆｆとするとき、
０．１＜Ｒ１ａ／ｆｆ＜０．５
なる条件式を満足することを特徴とする請求項１６又は１７の光学系。
【請求項１９】
前記レンズユニットＧＢの最も物体側のレンズ面の曲率半径をＲ１ｂ、前記レンズ系ＬＦの焦点距離をｆｆとするとき、
０．１＜｜Ｒ１ｂ／ｆｆ｜＜０．６
なる条件式を満足することを特徴とする請求項１６乃至１８のいずれか１項の光学系。
【請求項２０】
前記レンズユニットＧＡの最も像側のレンズ面とレンズユニットＧＢの最も物体側のレンズ面により形成される空気レンズの焦点距離をｆａｂ、前記レンズ系ＬＦの焦点距離をｆｆとするとき、
０．３＜｜ｆａｂ／ｆｆ｜＜１．５
なる条件式を満足することを特徴とする請求項１６乃至１９のいずれか１項の光学系。
【請求項２１】
前記レンズユニットＧＢは負の屈折力を有することを特徴とする請求項１６乃至２０のいずれか１項の光学系。
【請求項２２】
レンズ全長をＬ、全系の焦点距離をｆとするとき、
８．０＜Ｌ／ｆ＜２０
なる条件式を満足することを特徴とする請求項１６乃至２１のいずれか１項の光学系。
【請求項２３】
前記レンズユニットＧＡは、物体側から像側へ順に、負レンズと正レンズを接合した接合レンズＧＡＡからなり、前記接合レンズＧＡＡの負レンズの材料の屈折率をＮｎ、前記接合レンズＧＡＡの正レンズの材料の屈折率をＮｐとするとき、
１．１＜Ｎｎ／Ｎｐ＜１．５
なる条件式を満足することを特徴とする請求項１６乃至２２のいずれか１項の光学系。
【請求項２４】
前記前群の焦点距離をｆＬＡ、全系の焦点距離をｆとするとき、
１．０＜｜ｆＬＡ／ｆ｜＜２．０
なる条件式を満足することを特徴とする請求項１６乃至２３のいずれか１項の光学系。
【請求項２５】
前記後群の焦点距離をｆＬＢ、全系の焦点距離をｆとするとき、
２．０＜ｆＬＢ／ｆ＜５．０
なる条件式を満足することを特徴とする請求項１６乃至２４のいずれか１項の光学系。
【請求項２６】
固体撮像素子に像を形成することを特徴とする請求項１乃至２５のいずれか１項の光学系。
【請求項２７】
請求項１乃至２６のいずれか１項の光学系と、該光学系によって形成された像を受光する固体撮像素子とを有することを特徴とする撮像装置。
【発明の詳細な説明】
【技術分野】
【０００１】
本発明は、光学系に関し、例えばデジタルスチルカメラ、ビデオカメラ、ＴＶカメラ、監視用カメラ等の撮像装置の撮像光学系として好適なものである。
【背景技術】
【０００２】
撮像装置においては、広画角であること、画面全体にわたり高い光学性能を有すること、所定の長さのバックフォーカスを有することが求められている。広画角の撮影光学系として、特許文献１は負の屈折力の第１レンズ群、開口絞り、正の屈折力の第２レンズ群より構成され、撮影画角１２０度のレトロフォーカス型の単一焦点距離の広角レンズを開示している。特許文献１では第１レンズ群の一部よりなる負の屈折力の第１Ｂレンズ群を移動させてフォーカシングを行っている。
【０００３】
また、広画角の撮像光学系として、負の屈折力のレンズ群が最も物体側に配置されたネガティブリード型のズームレンズが知られている。特許文献２は、負の屈折力の第１レンズ群、正の屈折力の第２レンズ群より成る、広角端での撮影全画角１１４．７度で、ズーム比１．６５程度の２群ズームレンズを開示している。このズームレンズでは、第２レンズ群の物体側の一部の正の屈折力を有する接合レンズを移動させてフォーカシングを行っている。
【０００４】
この他、特許文献２は、負の屈折力の第１レンズ群、正の屈折力の第２レンズ群、正の屈折力の第３レンズ群よりなり、広角端での撮影全画角１１４．７度でズーム比１．６５程度の広画角の３群ズームレンズを開示している。この３群ズームレンズでは第２レンズ群の物体側の一部の正の屈折力を有する接合レンズを移動させてフォーカシングを行っている。
【先行技術文献】
【特許文献】
【０００５】
【特許文献１】特開２０１１−２２７１２４号公報
【特許文献２】特開２００７−９４１７４号公報
【発明の概要】
【発明が解決しようとする課題】
【０００６】
撮像装置に用いられる撮像光学系は、広画角で、フォーカシングに際して収差変動が少なく、無限遠から近距離に至る全物体距離にわたり高い解像力を有し、画面全体にわたり高い解像力を有すること等が要望されている。前述したネガティブリード型の撮像光学系は広画角で長いバックフォーカスを有する光学系を比較的容易に得ることができる。
【０００７】
しかしながら一般的にネガティブリード型の撮像光学系は、開口絞りに対して非対称な屈折力配置であるため、像面湾曲や歪曲などの軸外諸収差の補正が難しくなる。特に長いバックフォーカスを得るために、前群の負の屈折力を強くすると、軸外諸収差の補正が困難になる。またフォーカシングに際しての収差変動も大きくなり、全物体距離にわたり高い解像力を得るのが困難になる。
【０００８】
このため、ネガティブリード型の撮像光学系において、広画角化を図りつつ、フォーカシングに際して収差変動を低減し、全物体距離において高い光学性能を得るには、各レンズ群の屈折力配置を適切に設定することが重要になる。更にフォーカス用のレンズ系の選択及びフォーカス用のレンズ系のレンズ構成等を適切に設定することが重要になってくる。
【０００９】
特許文献１では、第１レンズ群を負の屈折力の第１Ａレンズ群と、負の屈折力の第１Ｂレンズ群に分け、フォーカシングに際して第１Ｂレンズ群を移動させている。しかしながら、有効径の大きい第１レンズ群内にフォーカスレンズ群を設けるため、フォーカスレンズ群が大型化し、第１Ａレンズ群とフォーカス用の第１Ｂレンズ群の間隔を所定量確保することが必要であるため、前玉有効径の小型化が困難であった。
【００１０】
特許文献２では、第２レンズ群を正の屈折力のフォーカスレンズ群と正の屈折力の固定レンズ群に分け、フォーカスレンズ群の小型化を達成している。しかしながら、フォーカシングによる像面湾曲の変動が増加する傾向があった。
【００１１】
本発明は、広画角で全物体距離で高い光学性能が得られる光学系及びそれを有する撮像装置を提供することを目的とする。
【課題を解決するための手段】
【００１２】
物体側から像側へ順に、負の屈折力の前群と、正の屈折力の後群から構成され、前記前群は負の屈折力の第１レンズ群より構成され、前記後群は、物体側から像側へ順に、正の屈折力の第２レンズ群、正の屈折力の第３レンズ群より構成され、ズーミングに際して隣り合うレンズ群の間隔が変化する光学系において、前記後群はフォーカシングに際して光軸上を移動する正の屈折力のレンズ系ＬＦを有し、前記レンズ系ＬＦは、物体側から像側へ順に、正の屈折力のレンズユニットＧＡ、正または負の屈折力のレンズユニットＧＢを有し、前記レンズユニットＧＢの最も物体側のレンズ面が凹形状であることを特徴としている。
【００１３】
物体側から像側へ順に、負の屈折力の前群と、正の屈折力の後群から構成され、ズーミングに際して前記前群と前記後群が互いに異なる軌跡で移動する光学系において、前記後群はフォーカシングに際して光軸上を移動する正の屈折力のレンズ系ＬＦを有し、前記レンズ系ＬＦは、物体側から像側へ順に、正の屈折力のレンズユニットＧＡ、正または負の屈折力のレンズユニットＧＢを有し、前記レンズユニットＧＢの最も物体側のレンズ面が凹形状であることを特徴としている。
【００１４】
最も大きな空気間隔を境に、物体側から像側へ順に、負の屈折力の前群と、正の屈折力の後群から構成される単一焦点距離の光学系において、前記後群はフォーカシングに際して光軸上を移動する正の屈折力のレンズ系ＬＦを有し、前記レンズ系ＬＦは、物体側から像側へ順に、正の屈折力のレンズユニットＧＡ、正または負の屈折力のレンズユニットＧＢを有し、前記レンズユニットＧＢの最も物体側のレンズ面が凹形状であることを特徴としている。
【発明の効果】
【００１５】
本発明によれば、広画角で全物体距離にわたり高い光学性能を有する光学系が得られる。
【図面の簡単な説明】
【００１６】
【図１】実施例１のズームレンズの広角端（短焦点距離端）におけるレンズ断面図（物体距離：無限遠）
【図２】（Ａ），（Ｂ）  実施例１のズームレンズの広角端と望遠端（長焦点距離端）における縦収差図（物体距離：無限遠）
【図３】（Ａ），（Ｂ）  実施例１のズームレンズの広角端と望遠端における縦収差図（物体距離：０．２８ｍ）
【図４】実施例２のズームレンズの広角端におけるレンズ断面図（物体距離：無限遠）
【図５】（Ａ），（Ｂ）  実施例２のズームレンズの広角端と望遠端における縦収差図（物体距離：無限遠）
【図６】（Ａ），（Ｂ）  実施例２のズームレンズの広角端と望遠端における縦収差図（物体距離：０．２８ｍ）
【図７】実施例３の単一焦点距離よりなる光学系のレンズ断面図（物体距離：無限遠）
【図８】実施例３の単一焦点距離よりなる光学系の縦収差図（物体距離：無限遠）
【図９】実施例３の単一焦点距離よりなる光学系の縦収差図（物体距離：０．２８ｍ）
【図１０】本発明の光学系を備えるカメラ（撮像装置）の要部概略図
【発明を実施するための形態】
【００１７】
以下、本発明の光学系及びそれを有する撮像装置の実施例について説明する。本発明の光学系は、撮像装置に用いられるレトロフォーカス型の広画角の単一焦点距離の撮影レンズや広画角のズームレンズである。尚、光学系がズームレンズのときは広角端において全系がレトロフォーカス型となっている。
【００１８】
本発明の光学系は、単一焦点距離の撮影光学系よりなるときは、最も大きな空気間隔を境に、又はズームレンズのときは広角端において最も大きな空気間隔を境に、物体側から像側へ順に、負の屈折力の前群ＬＡと、正の屈折力の後群ＬＢから構成される。後群ＬＢはフォーカシングに際して光軸上を移動する正の屈折力のレンズ系ＬＦを有する。
レンズ系ＬＦは、物体側から像側へ順に、正の屈折力のレンズユニットＧＡ、正または負の屈折力のレンズユニットＧＢを有し、レンズユニットＧＢの最も物体側のレンズ面が凹形状である。ここでレンズユニットとは単一レンズ又は複数のレンズを接合した接合レンズをいう。
【００１９】
全系の焦点距離とは、単一焦点距離の撮像光学系にあっては、無限遠物体の合焦時（フォーカス時）における焦点距離を意味する。また、ズームレンズにあっては、無限遠物体の合焦時における広角端の焦点距離を意味する。
【００２０】
図１は実施例１のズームレンズの広角端（短焦点距離端）におけるレンズ断面図（物体距離：無限遠）である。図２（Ａ），（Ｂ）は実施例１のズームレンズの広角端と望遠端（長焦点距離端）における縦収差図（物体距離：無限遠）である。図３（Ａ），（Ｂ）は実施例１のズームレンズの広角端と望遠端における縦収差図（物体距離０．２８ｍ）である。ここで物体距離とは後述する数値実施例をｍｍ単位で表したときの像面から物体面までの距離であり、以下同様である。
【００２１】
図４は実施例２のズームレンズの広角端におけるレンズ断面図（物体距離：無限遠）である。図５（Ａ），（Ｂ）は実施例２のズームレンズの広角端と望遠端における縦収差図（物体距離：無限遠）である。図６（Ａ），（Ｂ）は実施例２のズームレンズの広角端と望遠端における縦収差図（物体距離：０．２８ｍ）である。
【００２２】
図７は実施例３の単一焦点距離よりなる光学系のレンズ断面図（物体距離：無限遠）である。図８は実施例３の単一焦点距離よりなる光学系の縦収差図（物体距離：無限遠）である。図９は実施例３の単一焦点距離よりなる光学系の縦収差図（物体距離０．２８ｍ）である。図１０は本発明の光学系を備えるカメラ（撮像装置）の要部概略図である。
【００２３】
各実施例のズームレンズはビデオカメラ、デジタルカメラ、ＴＶカメラ、監視カメラ、そして銀塩フィルムカメラ等の撮像装置に用いられる撮影レンズ系（撮像レンズ）である。レンズ断面図において、左方が物体側（前方）で、右方が像側（後方）である。レンズ断面図において、ＬＡは負の屈折力（光学的パワー＝焦点距離の逆数）の前群である。ＬＢは正の屈折力の後群である。各実施例では最も大きな空気間隔を境に、又はズームレンズのときは広角端における最も大きな空気間隔を境に前群ＬＡと後群ＬＢを分けている。
【００２４】
ＳＰは撮影時の絞り値に応じた撮影光束径を制御する開口径可変の撮影光束径決定部材（以下「開口絞り」と呼ぶ）であり、前群ＬＡと後群ＬＢとの間に配置されている。ＦＰ１，ＦＰ２は各々不要光をカットするフレアーカット絞りである。ｉは物体側からレンズ群の順番を示し、Ｌｉは第ｉレンズ群である。ＬＦはフォーカシングに際して移動するレンズ系である。
【００２５】
図１，図４のレンズ断面図において矢印は広角端から望遠端へのズーミングに際しての各レンズ群の移動軌跡を示している。実施例１，２において広角端と望遠端は各レンズ群が機構上光軸上を移動可能な範囲の両端に位置したときのズーム位置をいう。ＩＰは像面であり、ビデオカメラやデジタルスチルカメラの撮影光学系として使用する際にはＣＣＤセンサやＣＭＯＳセンサなどの固体撮像素子（光電変換素子）の撮像面が配置され、銀塩フィルム用カメラのときはフィルム面が配置される。
【００２６】
図１の実施例１のズームレンズにおいて、前群ＬＡは負の屈折力の第１レンズ群Ｌ１より構成されている。後群ＬＢは正の屈折力の第２レンズ群Ｌ２、正の屈折力の第３レンズ群Ｌ３より構成されている。ズーミングに際して隣り合うレンズ群の間隔が変化する。具体的には広角端から望遠端へのズーミングに際して矢印の如く第１レンズ群Ｌ１は像側へ凸状の軌跡で移動している。第２レンズ群Ｌ２は第１レンズ群Ｌ１との間隔を縮小しつつ物体側へ移動している。第３レンズ群Ｌ３は第２レンズ群Ｌ２との間隔を増大しつつ物体側へ移動している。
【００２７】
開口絞りＳＰは第３レンズ群Ｌ３とは異なる軌跡で移動している。フォーカシングは第２レンズ群Ｌ２よりなるレンズ系ＬＦにより行っている。無限遠から近距離へのフォーカシングに際して、レンズ系ＬＦは矢印のfocusの如く像側へ移動する。
【００２８】
図４の実施例２のズームレンズにおいて、前群ＬＡは負の屈折力を有し、後群ＬＢは正の屈折力を有する。ズーミングに際して前群ＬＡと後群ＬＢは互いに異なる軌跡で移動する。
【００２９】
具体的には、広角端から望遠端へのズーミングに際して、前群ＬＡは像側に凸状の軌跡で移動し、後群ＬＢは前群ＬＡとの間隔を縮小しつつ物体側へ移動している。開口絞りＳＰは後群ＬＢと一体に移動している。フォーカシングは後群ＬＢの一部のレンズ系ＬＦで行われる。無限遠から近距離へのフォーカシングに際して、レンズ系ＬＦは矢印のfocusで示す如く像側へ移動する。
【００３０】
図７の実施例３の単一焦点距離の撮像光学系において、前群ＬＡは負の屈折力を有し。後群ＬＢは正の屈折力を有する。フォーカシングは後群ＬＢの一部のレンズ系ＬＦを移動させて行われる。無限遠から近距離へのフォーカシングに際して、レンズ系ＬＦは矢印のfocusで示す如く像側へ移動する。
【００３１】
それぞれの収差図は左から順に、球面収差、非点収差、歪曲、倍率色収差を表わしている。球面収差と倍率色収差を示す図において、実線はｄ線（５８７．６ｎｍ）、二点鎖線はｇ線（４３５．８ｎｍ）を表わしている。また、非点収差を示す図において、実線はｄ線のサジタル方向、破線はｄ線のメリディオナル方向を表わしている。また歪曲を示す図はｄ線における歪曲を表わしている。ＦｎｏはＦナンバー、ωは半画角（度）である。
【００３２】
次に、各実施例の前述した特徴以外の特徴について説明する。各実施例の光学系は、単一焦点距離の撮影光学系よりなるときは、最も大きな空気間隔を境に、又はズームレンズのときは広角端において最も大きな空気間隔を境に、物体側から像側へ順に、負の屈折力の前群ＬＡと、正の屈折力の後群ＬＢを有する。
【００３３】
各実施例の光学系において、後群ＬＢは光軸上を移動してフォーカスを行う正の屈折力のレンズ系ＬＦを有している。レンズ系ＬＦは、物体側から像側へ順に、正の屈折力のレンズユニットＧＡ、正または負の屈折力のレンズユニットＧＢを有している。レンズユニットＧＢは最も物体側のレンズ面が凹形状である。超広画角レンズを設計する際には、前玉有効径があまり増大しないようにしつつ、画面全体で良好なる光学性能を得ることが重要になってくる。
【００３４】
レトロフォーカスの光学系において、長いバックフォーカスを必要とすることは、レトロ比を大きくすることに等しい。また、著しく大きなレトロ比は、負の屈折力の前群の負の屈折力（負の屈折力の絶対値）が著しく大きくなることを意味する。正の屈折力の後群との屈折力のバランスが崩れると、光学性能が劣化する。特にペッツバール和が増加し、像面湾曲、歪曲等の軸外収差が多く発生し、これらの諸収差の補正が困難となる。
【００３５】
各実施例のように、正の屈折力の後群に正の屈折力のフォーカス用のレンズ系ＬＦが配置されている場合、無限遠から近距離へのフォーカシングに際し、フォーカス用のレンズ系ＬＦが像面側に移動し、よりレトロ比が大きくなる。このため、広角端における画角が、無限遠物体へのフォーカス時より広くなり、負の屈折力の前群を通過する軸外光線が、よりレンズの周辺部を通過することになる。この結果、近距離へのフォーカシングに際して像面湾曲がオーバーとなってしまう。
【００３６】
各実施例では、フォーカス用のレンズ系ＬＦの構成を工夫することで、この課題を解決している。フォーカス用のレンズ系ＬＦは、物体側から像側へ順に、正の屈折力のレンズユニットＧＡ、正または負の屈折力のレンズユニットＧＢを有している。フォーカス用のレンズ系ＬＦは無限遠から近距離へのフォーカシングに際して像側へ移動するため、近距離では無限遠へのフォーカス時より軸外光線がレンズの周辺部を通過する。
【００３７】
このことを利用し、正の屈折力のレンズユニットＧＡの物体側のレンズ面の曲率半径を小さくすることで、物体側のレンズ面の正の屈折力を強くし、近距離へのフォーカシングに際して像面湾曲をアンダーにする作用を大きくしている。これによって、近距離へのフォーカシングに際して増大する、負の屈折力の前群で発生する像面湾曲を補正している。
【００３８】
また、レンズユニットＧＡの物体側のレンズ面の屈折力を強くしたことで発生する球面収差は、レンズユニットＧＢの物体側のレンズ面を凹面とすることで補正している。レンズユニットＧＢの物体側のレンズ面を凹形状とすることは、開口絞りＳＰに対して同心円に近いレンズ面とすることである。これにより、レンズユニットＧＢに入射する軸外光束が極端な屈折をせずに通過するようにして、像面湾曲の発生を軽減している。フォーカス用のレンズ系ＬＦをこのような構成とすることで、全物体距離で良好な光学性能を得ている。
【００３９】
各実施例の光学系がズームレンズであるとき、更に好ましくは次の条件式のうち１以上を満足するのが良い。それによれば各条件式に対応した効果が得られる。レンズ系ＬＦの焦点距離をｆｆｚ、広角端における全系の焦点距離をｆｗとする。レンズユニットＧＡの最も物体側のレンズ面の曲率半径をＲ１ａｚとする。レンズユニットＧＢの最も物体側のレンズ面の曲率半径をＲ１ｂｚとする。レンズユニットＧＡの最も像側のレンズ面とレンズユニットＧＢの最も物体側のレンズ面によって形成される空気レンズの焦点距離をｆａｂｚとする。広角端におけるレンズ全長をＬｗとする。
【００４０】
レンズユニットＧＡは、物体側から像側へ順に、負レンズと正レンズを接合した接合レンズＧＡＡからなり、接合レンズＧＡＡの負レンズの材料の屈折率をＮｎｚ、接合レンズＧＡＡの正レンズの材料の屈折率をＮｐｚとする。前群ＬＡの焦点距離をｆＬＡｚとする。後群ＬＢの焦点距離をｆＬＢｚとする。
【００４１】
このとき次の条件式のうち１以上を満足するのが良い。
３．０＜ｆｆｚ／ｆｗ＜１５．０        ・・・（１ａ）
０．１＜Ｒ１ａｚ／ｆｆｚ＜０．５      ・・・（２ａ）
０．１＜｜Ｒ１ｂｚ／ｆｆｚ｜＜０．６  ・・・（３ａ）
０．３＜｜ｆａｂｚ／ｆｆｚ｜＜１．５  ・・・（４ａ）
８．０＜Ｌｗ／ｆｗ＜２０．０          ・・・（５ａ）
１．１＜Ｎｎｚ／Ｎｐｚ＜１．５        ・・・（６ａ）
１．０＜｜ｆＬＡｚ／ｆｗ｜＜２．０    ・・・（７ａ）
２．０＜ｆＬＢｚ／ｆｗ＜５．０        ・・・（８ａ）
【００４２】
各実施例の光学系が単一焦点距離のとき、更に好ましくは次の条件式のうち１以上を満足するのが良い。それによれば各条件式に対応した効果が得られる。レンズ系ＬＦの焦点距離をｆｆ、全系の焦点距離をｆとする。レンズユニットＧＡの最も物体側のレンズ面の曲率半径をＲ１ａとする。レンズユニットＧＢの最も物体側のレンズ面の曲率半径をＲ１ｂとする。レンズユニットＧＡの最も像側のレンズ面とレンズユニットＧＢの最も物体側のレンズ面によって形成される空気レンズの焦点距離をｆａｂとする。レンズ全長をＬとする。
【００４３】
レンズユニットＧＡは、物体側から像側へ順に、負レンズと正レンズを接合した接合レンズＧＡＡからなり、接合レンズＧＡＡの負レンズの材料の屈折率をＮｎ、接合レンズＧＡＡの正レンズの材料の屈折率をＮｐとする。前群ＬＡの焦点距離をｆＬＡとする。後群ＬＢの焦点距離をｆＬＢとする。このとき次の条件式のうち１以上を満足するのが良い。
【００４４】
３．０＜ｆｆ／ｆ＜１５．０        ・・・（１ｂ）
０．１＜Ｒ１ａ／ｆｆ＜０．５      ・・・（２ｂ）
０．１＜｜Ｒ１ｂ／ｆｆ｜＜０．６  ・・・（３ｂ）
０．３＜｜ｆａｂ／ｆｆ｜＜１．５  ・・・（４ｂ）
８．０＜Ｌ／ｆ＜２０．０          ・・・（５ｂ）
１．１＜Ｎｎ／Ｎｐ＜１．５        ・・・（６ｂ）
１．０＜｜ｆＬＡ／ｆ｜＜２．０    ・・・（７ｂ）
２．０＜ｆＬＢ／ｆ＜５．０        ・・・（８ｂ）
【００４５】
ここで条件式（１ａ）乃至（８ａ）と条件式（１ｂ）乃至（８ｂ）は、光学系がズームレンズであるか単一焦点距離であるかの違いである。条件式（１ａ）と条件式（１ｂ）、条件式（２ａ）と条件式（２ｂ）等の互いに対応する条件式の技術的内容は同じである。例えば単一焦点距離の光学系における全系の焦点距離とレンズ全長の意味するところは、ズームレンズの光学系の広角端における全系の焦点距離と広角端におけるレンズ全長に相当する。
【００４６】
次に前述の各条件式の技術的意味について説明する。条件式（１ａ），（１ｂ）はフォーカス用のレンズ系ＬＦの焦点距離を適切に設定するものである。条件式（１ａ），（１ｂ）を満足することで、フォーカス用のレンズ系ＬＦの小型化を図りつつ、良好な光学性能を得ている。
【００４７】
条件式（１ａ），（１ｂ）の上限を超えて、フォーカス用のレンズ系ＬＦの正の屈折力が弱くなりすぎると、フォーカス用のレンズ系ＬＦのフォーカシングに際しての移動量が多くなり、近距離へフォーカスしたときの収差変動が大きくなってしまう。下限を超えて、フォーカス用のレンズ系ＬＦの正の屈折力が強くなりすぎると、軸上色収差、球面収差が増大し、これらの諸収差の補正が困難となる。
【００４８】
条件式（２ａ），（２ｂ）はレンズユニットＧＡの最も物体側のレンズ面の曲率半径を適切に設定するものである。条件式（２ａ），（２ｂ）を満足することで、全物体距離で良好な光学性能を得ることを容易にしている。
【００４９】
条件式（２ａ），（２ｂ）の上限を超えて、レンズユニットＧＡの最も物体側のレンズ面の曲率半径が大きくなり過ぎると、近距離へのフォーカシングに際してレンズ系ＬＦで発生する負の像面湾曲が少なくなる。このため、近距離へのフォーカシングに際して増大する、負の屈折力の前群より発生する正の像面湾曲を補正することが困難となる。下限を超えて、レンズユニットＧＡの最も物体側の面の曲率半径が小さくなり過ぎると、球面収差が増大し、この収差の補正が困難となる。
【００５０】
条件式（３ａ），（３ｂ）はレンズユニットＧＢの最も物体側のレンズ面の曲率半径を適切に設定するものである。条件式（３ａ），（３ｂ）を満足することで、全物体距離において良好な光学性能を得ることを容易にしている。
【００５１】
条件式（３ａ），（３ｂ）の上限を超えると、レンズユニットＧＢの最も物体側のレンズ面の曲率半径が大きくなり過ぎ（負の屈折力が弱くなりすぎ）、レンズユニットＧＢの最も物体側のレンズ面で発生する正の球面収差の発生量が少なくなる。このため、レンズユニットＧＡの最も物体側のレンズ面で発生する負の球面収差を補正することが困難となる。下限を越えると、レンズユニットＧＢの最も物体側のレンズ面の曲率半径が小さくなり過ぎ（負の屈折力が強くなりすぎ）ると、正の球面収差が増大し、この球面収差を他のレンズで補正するのが困難となる。
【００５２】
条件式（４ａ），（４ｂ）はレンズユニットＧＡの最も像側のレンズ面とレンズユニットＧＢの最も物体側のレンズ面によって構成される空気レンズの焦点距離を適切に設定するものである。条件式（４ａ），（４ｂ）を満足することで、全物体距離で良好な光学性能を得ることを容易にしている。
【００５３】
条件式（４ａ），（４ｂ）の上限を越えると、空気レンズの負又は正の屈折力が弱くなり過ぎ（屈折力の絶対値が小さくなりすぎ）、フォーカス用のレンズ系で発生する球面収差を補正することが困難となる。下限を越えると、空気レンズの負又は正の屈折力が強くなり過ぎ（屈折力の絶対値が大きくなりすぎ）、近距離へのフォーカシングの際に像面湾曲が増大し、この収差の補正が困難となる。
【００５４】
条件式（５ａ），（５ｂ）は光学系の焦点距離とレンズ全長の比に関する。条件式（５ａ），（５ｂ）は、テレ比を適切に設定するものである。条件式（５ａ），（５ｂ）の上限を超え、レンズ全長が長くなりすぎると、前玉有効径の小型化が困難となる。条件式（５ａ），（５ｂ）の下限を越え、レンズ全長が短くなりすぎると、ペッツバール和が正の方向に大きくなりすぎ、像面湾曲が増大し、これを補正することが困難となる。
【００５５】
条件式（６ａ），（６ｂ）はレンズユニットＧＡを構成する接合レンズの負レンズの材料と正レンズの材料の屈折率比を適切に設定するものである。条件式（６ａ），（６ｂ）を満足することで、接合レンズ面において球面収差を良好に補正している。条件式（６ａ），（６ｂ）の上限を越えると、屈折率比が大きくなり過ぎ、ペッツバール和が正の方向に大きくなり、像面湾曲の補正が困難となる。下限を越えると、接合レンズ面での球面収差の補正作用が小さくなり、レンズユニットＧＡより発生する球面収差の補正が困難となる。
【００５６】
条件式（７ａ），（７ｂ）は前群ＬＡの負の焦点距離を適切に設定するものである。条件式（７ａ），（７ｂ）の上限を超え、前群ＬＡの負の焦点距離が長くなりすぎると（負の焦点距離の絶対値が大きくなりすぎると）、前玉有効径の小型化が困難となる。また、長いバックフォーカスを確保するのが困難となる。条件式（７ａ），（７ｂ）の下限を越え、前群ＬＡの負の焦点距離が短くなりすぎると（負の焦点距離の絶対値が小さくなりすぎると）、像面湾曲や、歪曲収差等を補正することが困難となる。
【００５７】
条件式（８ａ），（８ｂ）は後群ＬＢの焦点距離を規定するものである。条件式（８ａ），（８ｂ）の上限を超え、後群ＬＢの焦点距離が長くなりすぎると（後群ＬＢの屈折力が小さくなりすぎると）、前玉有効径の小型化が困難となる。また、長いバックフォーカスを確保するのが困難となる。条件式（８ａ），（８ｂ）の下限を越え、後群ＬＢの焦点距離が短くなりすぎると（後群ＬＢの屈折力が強くなりすぎると）、像面湾曲や、歪曲収差等を補正することが困難となる。尚、各実施例において更に好ましくは前述の条件式（１ａ）乃至（８ａ）の数値範囲を以下の如く設定するのが良い。
【００５８】
４．０＜ｆｆｚ／ｆｗ＜１４．０          ・・・（１ａａ）
０．１２＜Ｒ１ａｚ／ｆｆｚ＜０．４０    ・・・（２ａａ）
０．１２＜｜Ｒ１ｂｚ／ｆｆｚ｜＜０．５０・・・（３ａａ）
０．４＜｜ｆａｂｚ／ｆｆｚ｜＜１．３    ・・・（４ａａ）
１０．０＜Ｌｗ／ｆｗ＜１８．０          ・・・（５ａａ）
１．１５＜Ｎｎｚ／Ｎｐｚ＜１．４０      ・・・（６ａａ）
１．０＜ｆＬＡｚ／ｆｗ＜１．７          ・・・（７ａａ）
２．５＜ｆＬＢｚ／ｆｗ＜４．０          ・・・（８ａａ）
【００５９】
尚、実施例３において更に好ましくは条件式（１ｂ）乃至（８ｂ）の数値範囲を次の如く設定するのが良い。
４．０＜ｆｆ／ｆ＜１４．０              ・・・（１ｂｂ）
０．１２＜Ｒ１ａ／ｆｆ＜０．４０        ・・・（２ｂｂ）
０．１２＜｜Ｒ１ｂ／ｆｆ｜＜０．５０    ・・・（３ｂｂ）
０．４＜｜ｆａｂ／ｆｆ｜＜１．３        ・・・（４ｂｂ）
１０．０＜Ｌ／ｆ＜１８．０              ・・・（５ｂｂ）
１．１５＜Ｎｎ／Ｎｐ＜１．４０          ・・・（６ｂｂ）
１．０＜ｆＬＡ／ｆ＜１．７              ・・・（７ｂｂ）
２．５＜ｆＬＢ／ｆ＜４．０              ・・・（８ｂｂ）
【００６０】
各実施例において好ましくは次の構成をとるのが良い。各実施例において、レンズユニットＧＢは負の屈折力を有するのが良い。レンズユニットＧＢが負の屈折力を有することで、正の屈折力のレンズユニットＧＡの屈折力を強くすることが出来、レンズユニットＧＡの最も物体側のレンズ面の曲率半径を小さくし易い。このため、近距離へのフォーカシングに際して像面湾曲の補正が容易となる。また、レンズユニットＧＢの最も物体側のレンズ面を凹形状とし易く、フォーカス用のレンズ系ＬＦで発生する球面収差を補正することが容易となる。
【００６１】
レンズユニットＧＡは、物体側から像側へ順に、負レンズ、正レンズの接合レンズからなるのが良い。レンズユニットＧＡの最も物体側のレンズ面は軸上光束が高い位置を通り、球面収差やコマ収差が大きく発生する。そこで物体側に凸面を向けた負レンズを配置することにより、該負レンズの物体側のレンズ面で大きく発生する収差を直後の接合面で補正している。また、負レンズと正レンズで色消しを行い、軸上色収差を良好に補正している。さらに、レトロフォーカス型の屈折力配置とすることが容易となり、広角端の広画角化を図りつつ、前玉有効径の小型化を容易にしている。
【００６２】
以上のように、各実施例によれば、広角端の撮影画角が１２０°を超える超広画角でありながら、全系が小型で全物体距離にわたり良好な光学性能を有する光学系が得られる。
【００６３】
次に、本発明の光学系を用いた一眼レフカメラシステム（撮像装置）の実施例を、図１０を用いて説明する。図１０において、１０は一眼レフカメラ本体、１１は本発明による光学系を搭載した交換レンズである。１２は交換レンズ１１を通して得られる被写体像を記録（受光）するフィルムや撮像素子などの記録手段である。１３は交換レンズ１１からの被写体像を観察するファインダー光学系、１４は交換レンズ１１で形成された被写体像を記録手段１２とファインダー光学系１３に切り替えて伝送するために回動するクイックリターンミラーである。
【００６４】
ファインダーで被写体像を観察する場合は、クイックリターンミラー１４を介してピント板１５に結像した被写体像をペンタプリズム１６で正立像としたのち、接眼光学系１７で拡大して観察する。撮影時にはクイックリターンミラー１４が矢印方向に回動して被写体像は記録手段１２に結像して記録される。１８はサブミラー、１９は焦点検出装置である。
【００６５】
このように本発明の光学系を一眼レフカメラ等の交換レンズ等の撮像装置に適用することにより、高い光学性能を有した撮像装置が実現できる。尚、本発明の光学系はクイックリターンミラーのないカメラにも同様に適用することができる。又、プロジェクター用の投射レンズにも同様に適用することができる。
【００６６】
次に本発明の各実施例の数値実施例を示す。各数値実施例においてｉは物体側からの面の順序を示し、ｒｉはレンズ面の曲率半径、ｄｉは第ｉ面と第ｉ＋１面との間のレンズ肉厚および空気間隔、ｎｄｉ、νｄｉはそれぞれｄ線に対する屈折率、アッベ数を示す。ＢＦはバックフォーカスであり、最終レンズ面から像面までの距離で示している。レンズ全長は第１レンズ面から像面までの距離である。非球面形状は光軸方向にＸ軸、光軸と垂直方向にＨ軸、光の進行方向を正としＲを近軸曲率半径、Ｋを円錐定数、Ａ４，Ａ６，Ａ８，Ａ１０，Ａ１２，Ａ１４を各々非球面係数としたとき、
【００６７】
【数１】
2015138122.tif 000003
【００６８】
なる式で表している。また［ｅ＋Ｘ］は［×１０＋Ｘ］を意味し、［ｅ−Ｘ］は［×１０−Ｘ］を意味している。非球面は面番号の後に＊を付加して示す。また、各光学面の間隔dが（可変）となっている部分は、ズーミングに際して変化するものである。また前述の各条件式と数値実施例の関係を表１に示す。 
【００６９】
[数値実施例１]
単位 mm
面データ
面番号    r        d      nd         νd       有効径
1*     100.402    3.10   1.77250    49.6       83.99
2       32.787   10.70                         62.10
3       42.207    3.20   1.58443    59.4       59.67
4*      20.133   10.96                         49.61
5      100.037    2.60   1.85000    40.3       46.09
6*      47.753    5.77                         36.38
7      313.541    1.30   1.59522    67.7       35.84
8       24.146    7.54                         30.95
9      -76.811    1.15   1.43875    94.9       30.84
10       64.103    0.89                         30.46
11       39.327    6.40   1.72047    34.7       30.67
12     -123.615  (可変)                         29.97
13        ∞     (可変)                         17.72（フレアーカット絞り）
14(絞り)  ∞     (可変)                         18.91
15      20.914    1.10   2.00100    29.1       20.11
16      15.600    7.47   1.57501    41.5       19.38
17     -34.531    2.04                         19.13
18     -26.292    0.90   1.91082    35.3       18.24
19      68.346    2.28   1.80518    25.4       18.57
20     -87.663  (可変)                         18.72
21       ∞       0.00                         18.98（フレアーカット絞り）
22      29.727    0.95   1.88300    40.8       19.07
23      14.164    6.33   1.51742    52.4       18.30
24     -97.092    0.95   1.83481    42.7       18.40
25     117.819    0.15                         18.52
26      22.677    6.42   1.49700    81.5       19.06
27     -27.253    0.20                         19.64
28    -210.616    1.10   1.88300    40.8       19.59
29      16.507    7.00   1.58313    59.4       19.72
30*    -89.025  (可変)                         20.89
像面    ∞   
【００７０】
非球面データ
第1面
K = 0.00000e+000  A 4= 5.07039e-006  A 6=-3.66524e-009 
A 8= 2.14684e-012  A10=-1.59746e-016  A12=-3.49877e-019 
A14= 1.41029e-022  
第4面
K =-3.08703e+000  A 4= 3.79875e-005  A 6=-6.27286e-008 
A 8= 1.29970e-011  A10= 1.49707e-014  
第6面
K = 0.00000e+000  A 4= 1.15171e-005  A 6=-2.29358e-009 
A 8= 2.08815e-010  A10=-7.57344e-013  A12= 1.20672e-015  
第30面
K = 0.00000e+000  A 4= 1.96961e-005  A 6= 3.33943e-008 
A 8= 2.90343e-011  A10=-2.00200e-013  A12= 7.23046e-015  
各種データ
ズーム比     2.05 
広角     中間     望遠
焦点距離      11.33    17.32    23.28  
Fナンバー      4.12     4.12     4.12  
半画角（度）  62.36    51.32    42.90  
像高          21.64    21.64    21.64  
レンズ全長   171.38   162.77   165.23  
BF            39.88    52.64    65.40  
d12           26.47     7.95     0.51  
d13            9.51     6.65     3.80  
d14            1.74     1.51     1.29  
d20            3.29     3.52     3.74  
d30           39.88    52.64    65.40  
ズームレンズ群データ
群  始面    焦点距離 
1    1     -18.23        
2   13       ∞           
3   14       ∞           
4   15      70.93        
5   21      56.82        
【００７１】
[数値実施例２]
単位 mm
面データ
面番号       r        d      nd         νd     有効径
1*        66.540    2.60   1.77250    49.6    69.99
2         25.367    8.07                      49.58
3         28.749    2.60   1.58383    59.4    47.72
4*        16.316   10.33                      43.43
5        100.001    2.10   1.85400    40.4    40.57
6*        32.421    6.16                      30.66
7        189.979    1.30   1.59522    67.7    30.34
8         39.134    5.01                      28.64
9        -53.880    1.20   1.43875    94.9    28.51
10         56.561    0.15                      28.22
11         36.018    7.45   1.72047    34.7    28.40
12        -99.582  (可変)                       27.43
13          ∞     (可変)                       16.59
14(絞り)    ∞       1.74                       17.77（フレアーカット絞り）
15         20.662    1.00   2.00100    29.1    19.04
16         15.022    7.90   1.61340    44.3    18.38
17        -32.080    1.45                      18.05
18        -26.143    0.90   1.91082    35.3    17.34
19         26.601    3.61   1.85478    24.8    17.60
20       -105.795    3.69                      17.76
21          ∞       0.00                      17.86（フレアーカット絞り）
22         29.922    0.95   1.88300    40.8    17.89
23         14.726    6.00   1.49700    81.5    17.23
24       -106.579    0.14                      17.26
25        -86.482    0.95   1.76421    50.4    17.26
26         81.303    0.15                      17.35
27         21.584    6.24   1.49700    81.5    19.33
28        -28.319    0.20                      19.84
29       -261.504    1.05   1.88300    40.8    19.82
30         19.182    5.48   1.58313    59.4    19.94
31*      -103.197  (可変)                      20.67
像面        ∞   
【００７２】
非球面データ
第1面
K = 0.00000e+000  A 4= 6.42646e-006  A 6=-8.86916e-009 
A 8= 1.26766e-011  A10=-9.48216e-015  A12= 3.74162e-018 
A14=-2.77582e-022  
第4面
K =-1.00193e+000  A 4= 9.47246e-006  A 6=-3.04033e-008 
A 8=-9.25956e-011  A10= 1.29892e-013  
第6面
K = 0.00000e+000  A 4= 2.20599e-005  A 6= 2.45095e-008 
A 8= 5.49604e-010  A10=-3.00594e-012  A12= 8.33695e-015  
第31面
K = 0.00000e+000  A 4= 2.69196e-005  A 6= 2.94334e-008 
A 8= 8.62945e-010  A10=-6.99775e-012  A12= 3.65541e-014  
各種データ
ズーム比     1.88 
広角     中間     望遠
焦点距離      12.36    17.82    23.28  
Fナンバー      4.12     4.12     4.12  
半画角（度）  60.26    50.52    42.90  
像高          21.64    21.64    21.64  
レンズ全長   158.46   152.79   155.01  
BF            40.01    51.17    62.34  
d12           20.62     6.58     0.44  
d13            9.40     6.60     3.80  
d31           40.01    51.17    62.34  
ズームレンズ群データ
群  始面    焦点距離  
1    1     -18.23       
2   13       ∞           
3   14      37.27        
【００７３】
[数値実施例３]
単位 mm
面データ
面番号       r        d      nd         νd    有効径
1*        63.441    2.20   1.69680    55.5    59.00
2         25.442    5.52                      45.91
3         28.300    2.20   1.58313    59.4    42.76
4*        12.904    7.23                      37.90
5         50.374    1.70   1.85000    40.3    31.20
6*        24.947    4.05                      22.99
7         59.522    0.85   1.59522    67.7    22.32
8         15.341    4.35                      19.00
9        -64.807    0.80   1.43875    94.9    18.69
10         31.693    0.20                      17.51
11         20.918   10.35   1.72047    34.7    17.21
12        547.908    1.48                      12.19
13          ∞       7.86                      10.62（フレアーカット絞り）
14(絞り)    ∞       0.00                       13.07
15         22.443    1.42   2.00100    29.1    13.39
16         14.385    4.86   1.62004    36.3    13.07
17        -20.142    0.17                      13.16
18        -20.527    0.80   1.91082    35.3    13.08
19         20.122    3.34   1.84666    23.8    13.46
20       -235.657    2.62                      13.79
21         20.587    0.80   1.88300    40.8    14.78
22         12.875    6.84   1.51742    52.4    14.40
23        -13.416    0.80   1.83400    37.2    15.20
24       -160.886    0.15                      17.31
25         40.147    6.23   1.49700    81.5    19.53
26        -19.300    0.20                      20.70
27         54.325    1.10   1.88300    40.8    21.87
28         15.275    8.45   1.55332    71.7    21.64
29*       -48.549                              22.86
像面        ∞   
【００７４】
非球面データ
第1面
K = 0.00000e+000  A 4= 5.33233e-006  A 6= 1.54429e-009 
A 8=-8.67461e-013  A10= 2.56875e-015  A12=-1.67470e-018 
A14= 2.74451e-021  
第4面
K =-1.68145e+000  A 4=-7.54012e-007  A 6=-6.22445e-008 
A 8= 6.75757e-011  A10= 2.02117e-014  
第6面
K = 0.00000e+000  A 4= 7.63671e-005  A 6= 1.39072e-007 
A 8= 4.35972e-010  A10=-9.56156e-012  A12= 8.97876e-014  
第29面
K = 0.00000e+000  A 4= 2.00655e-005  A 6=-5.66525e-009 
A 8= 3.94520e-010  A10=-2.36003e-012  A12= 5.91161e-015  
各種データ
焦点距離      10.30  
Fナンバー      2.88  
半画角（度）  64.54  
像高          21.64  
レンズ全長   124.58  
BF            38.00  
【００７５】
【表１】
2015138122.tif 000004
【符号の説明】
【００７６】
ＬＦ  前群      ＬＲ  後群      Ｌ１  第１レンズ群      Ｌ２  第２レンズ群
Ｌ３  第３レンズ群      Ｌａ  前方レンズ部      Ｌｂ  後方レンズ部
ＳＰ      開口絞り
【図１】
2015138122.tif 000005
【図２】
2015138122.tif 000006
【図３】
2015138122.tif 000007
【図４】
2015138122.tif 000008
【図５】
2015138122.tif 000009
【図６】
2015138122.tif 000010
【図７】
2015138122.tif 000011
【図８】
2015138122.tif 000012
【図９】
2015138122.tif 000013
【図１０】
2015138122.tif 000014